(57)【要約】【課題】マルチ画面表示において画像品質を向上することが可能な表示方法、及び表示装置を提供する。【解決手段】第１画像信号が入力される第１インターフェイス１６ａを選択し、第１画像信号の形式を表す第１信号情報を取得して記憶し、第１信号情報に基づいて第１画像信号を取得し第１画像を表示し、第２画像信号が入力される第２インターフェイス１６ｂを選択し、第２画像信号の形式を表す第２信号情報を取得して記憶し、第２信号情報に基づいて第２画像信号を取得し、取得した第２画像信号に基づく第２画像を第１画像に並べて表示し、第１インターフェイス１６ａを選択し、記憶した第１信号情報に基づいて第１画像信号を取得し、取得した第１画像信号に基づいて第１画像を更新し、第２インターフェイスを選択し、記憶した第２信号情報に基づいて第２画像信号を取得し、取得した第２画像信号に基づいて第２画像を更新する。【選択図】図２
2020118744.tif 000002
【特許請求の範囲】
【請求項１】
複数の画像信号を順次選択してマルチ画面表示を行う表示方法であって、
第１画像信号が入力される第１インターフェイスを選択し、
前記第１画像信号の形式を表す第１信号情報を取得し、
前記第１信号情報を記憶し、
前記第１信号情報に基づいて、前記第１画像信号を取得し、
取得した前記第１画像信号に基づく第１画像を表示し、
第２画像信号が入力される第２インターフェイスを選択し、
前記第２画像信号の形式を表す第２信号情報を取得し、
前記第２信号情報を記憶し、
前記第２信号情報に基づいて、前記第２画像信号を取得し、
取得した前記第２画像信号に基づく第２画像を前記第１画像に並べて表示し、
前記第１インターフェイスを選択し、
記憶した前記第１信号情報に基づいて、前記第１画像信号を取得し、
取得した前記第１画像信号に基づいて、前記第１画像を更新し、
前記第２インターフェイスを選択し、
記憶した前記第２信号情報に基づいて、前記第２画像信号を取得し、
取得した前記第２画像信号に基づいて、前記第２画像を更新する、
ことを特徴とする表示方法。
【請求項２】
請求項１に記載の表示方法であって、
前記第１信号情報、及び前記第２信号情報は、解像度及びフレームレートを含む情報であることを特徴とする表示方法。
【請求項３】
請求項１に記載の表示方法であって、
前記第２画像を前記第１画像に並べて表示した後、第３画像信号が入力される第３インターフェイスを選択し、
前記第３画像信号の形式を表す第３信号情報を取得し、
前記第３信号情報に基づいて、前記第３画像信号を取得し、
取得した前記第３画像信号に基づく第３画像を、前記第１画像及び前記第２画像に並べて表示し、
前記第２画像を更新した後、前記第３インターフェイスを選択し、
記憶した前記第３信号情報に基づいて、前記第３画像信号を取得し、
取得した前記第３画像信号に基づいて、前記第３画像を更新する、
ことを特徴とする表示方法。
【請求項４】
請求項３に記載の表示方法であって、
前記第１信号情報、前記第２信号情報、及び前記第３信号情報は、解像度及びフレームレートを含む情報であることを特徴とする表示方法。
【請求項５】
複数の画像信号を順次選択してマルチ画面表示を行う表示装置であって、
第１画像信号が入力される第１インターフェイスと、
第２画像信号が入力される第２インターフェイスと、
前記第１インターフェイス及び前記第２インターフェイスのうち、いずれか一方のインターフェイスを選択する選択部と、
前記第１画像信号及び前記第２画像信号のうち、前記選択部により選択された前記一方のインターフェイスに入力される一方の画像信号について、形式を表す信号情報を取得する取得部と、
前記取得部により取得された前記信号情報を記憶する記憶部と、
前記選択部により選択された前記一方のインターフェイスに入力される一方の画像信号を、前記信号情報に基づいて取得する入力部と、
前記入力部によって取得された前記一方の画像信号に基づく画像を表示する表示部と、
前記選択部に前記第１インターフェイスと前記第２インターフェイスとを交互に繰り返して選択させて、前記表示部に前記第１画像信号に基づく第１画像と、前記第２画像信号に基づく第２画像とを並べて表示させる制御部と、を備え、
前記制御部は、前記第１画像と前記第２画像とを並べて表示する場合に、前記第１画像信号の前記信号情報及び前記第２画像信号の前記信号情報が前記記憶部に記憶された後、前記取得部に前記信号情報の取得を行わせず、前記記憶部に記憶されている前記信号情報に基づいて前記入力部に前記第１画像信号及び前記第２画像信号を取得させることを特徴とする表示装置。
【請求項６】
請求項５に記載の表示装置であって、
前記信号情報は、解像度及びフレームレートを含む情報であることを特徴とする表示装置。
【発明の詳細な説明】
【技術分野】
【０００１】
本発明は、表示方法、及び表示装置に関する。
【背景技術】
【０００２】
複数の入力映像を並べて表示するマルチ画面表示が可能な表示装置が知られている。特許文献１には、入力される複数の映像信号の中から１つを選択する入力部を備え、入力された映像信号を順次メモリーに書き込むことでマルチ画面表示を行う態様が記載されている。
【先行技術文献】
【特許文献】
【０００３】
【特許文献１】特開２０１５−２２８５８８号公報
【発明の概要】
【発明が解決しようとする課題】
【０００４】
しかしながら、複数の映像信号を順次選択してマルチ画面表示を実現する構成では、映像信号の選択や、それに伴う各種処理に時間を要するため、滑らかな映像表示ができないという問題を有している。
【課題を解決するための手段】
【０００５】
本願の表示方法は、複数の画像信号を順次選択してマルチ画面表示を行う表示方法であって、第１画像信号が入力される第１インターフェイスを選択し、前記第１画像信号の形式を表す第１信号情報を取得し、前記第１信号情報を記憶し、前記第１信号情報に基づいて、前記第１画像信号を取得し、取得した前記第１画像信号に基づく第１画像を表示し、第２画像信号が入力される第２インターフェイスを選択し、前記第２画像信号の形式を表す第２信号情報を取得し、前記第２信号情報を記憶し、前記第２信号情報に基づいて、前記第２画像信号を取得し、取得した前記第２画像信号に基づく第２画像を前記第１画像に並べて表示し、前記第１インターフェイスを選択し、記憶した前記第１信号情報に基づいて、前記第１画像信号を取得し、取得した前記第１画像信号に基づいて、前記第１画像を更新し、前記第２インターフェイスを選択し、記憶した前記第２信号情報に基づいて、前記第２画像信号を取得し、取得した前記第２画像信号に基づいて、前記第２画像を更新する、ことを特徴とする。
【０００６】
上記の表示方法において、前記第１信号情報、及び前記第２信号情報は、解像度及びフレームレートを含む情報であることが望ましい。
【０００７】
上記の表示方法において、前記第２画像を前記第１画像に並べて表示した後、第３画像信号が入力される第３インターフェイスを選択し、前記第３画像信号の形式を表す第３信号情報を取得し、前記第３信号情報に基づいて、前記第３画像信号を取得し、取得した前記第３画像信号に基づく第３画像を、前記第１画像及び前記第２画像に並べて表示し、前記第２画像を更新した後、前記第３インターフェイスを選択し、記憶した前記第３信号情報に基づいて、前記第３画像信号を取得し、取得した前記第３画像信号に基づいて、前記第３画像を更新する、ことが望ましい。
【０００８】
上記の表示方法において、前記第１信号情報、前記第２信号情報、及び前記第３信号情報は、解像度及びフレームレートを含む情報であることが望ましい。
【０００９】
本願の表示装置は、複数の画像信号を順次選択してマルチ画面表示を行う表示装置であって、第１画像信号が入力される第１インターフェイスと、第２画像信号が入力される第２インターフェイスと、前記第１インターフェイス及び前記第２インターフェイスのうち、いずれか一方のインターフェイスを選択する選択部と、前記第１画像信号及び前記第２画像信号のうち、前記選択部により選択された前記一方のインターフェイスに入力される一方の画像信号について、形式を表す信号情報を取得する取得部と、前記取得部により取得された前記信号情報を記憶する記憶部と、前記選択部により選択された前記一方のインターフェイスに入力される一方の画像信号を、前記信号情報に基づいて取得する入力部と、前記入力部によって取得された前記一方の画像信号に基づく画像を表示する表示部と、前記選択部に前記第１インターフェイスと前記第２インターフェイスとを交互に繰り返して選択させて、前記表示部に前記第１画像信号に基づく第１画像と、前記第２画像信号に基づく第２画像とを並べて表示させる制御部と、を備え、前記制御部は、前記第１画像と前記第２画像とを並べて表示する場合に、前記第１画像信号の前記信号情報及び前記第２画像信号の前記信号情報が前記記憶部に記憶された後、前記取得部に前記信号情報の取得を行わせず、前記記憶部に記憶されている前記信号情報に基づいて前記入力部に前記第１画像信号及び前記第２画像信号を取得させることを特徴とする。
【００１０】
上記の表示装置において、前記信号情報は、解像度及びフレームレートを含む情報であることが望ましい。
【図面の簡単な説明】
【００１１】
【図１】第１実施形態の表示システムの構成を示す概略斜視図。
【図２】プロジェクターの構成を示すブロック図。
【図３】プロジェクターの一部である投写部の構成を示すブロック図。
【図４】表示方法を示すフローチャート。
【図５】表示方法を示すフローチャート。
【図６】第２実施形態のプロジェクターの構成を示すブロック図。
【発明を実施するための形態】
【００１２】
以下、実施形態の表示装置、及び表示方法について、図面を参照して説明する。
【００１３】
（第１実施形態）
図１は、本実施形態の表示装置を含む表示システムの構成を示す概略図である。以下、表示システムの構成を、図１を参照しながら説明する。
【００１４】
図１に示すように、表示システム１００は、表示装置としてのプロジェクター１と、投写面としてのスクリーン２と、を備えている。プロジェクター１は、外部から入力される画像信号に基づく画像を、スクリーン２に投写して表示する。これ以降、プロジェクター１からスクリーン２に投写される画像の全体のことを、投写画像３とも呼ぶ。
【００１５】
図１に示すスクリーン２には、投写画像３内に複数の小画像、即ち、第１画像としての画像Ａ、第２画像としての画像Ｂ、第３画像としての画像Ｃを並べて配置したマルチ画面が、プロジェクター１から投写されて表示されている。また、図示は省略しているが、プロジェクター１は、画像Ａ、画像Ｂ、画像Ｃのいずれか１つを投写画像３の全域に表示させることも可能である。これ以降、投写画像３の全域に１つの画像を表示する態様を「単一画面表示」とも呼び、投写画像３内に複数の小画像を配置して表示する態様を「マルチ画面表示」とも呼ぶ。なお、本実施形態では、画像Ａ、画像Ｂ、画像Ｃは、いずれも動画であるが、静止画が含まれていてもよい。
【００１６】
図２は、プロジェクターの構成を示すブロック図である。以下、プロジェクターの構成を、図２を参照しながら説明する。
【００１７】
図２に示すように、プロジェクター１は、制御部１０と、記憶部１１と、選択部としてのスイッチング回路１２と、映像プロセッサー１３と、表示部としての投写部１４と、インターフェイス部１６と、入力操作部１８と、を備えて構成されている。プロジェクター１は、インターフェイス部１６及びスイッチング回路１２を介して映像プロセッサー１３に入力される画像信号に基づいて、投写部１４からスクリーン２に画像を投写する。
【００１８】
制御部１０は、１つ又は複数のプロセッサーを備えて構成され、例えば、記憶部１１に記憶されている制御プログラムに従って動作することにより、プロジェクター１の動作を統括制御する。
【００１９】
記憶部１１は、ＲＡＭ（Random Access Memory）及びＲＯＭ（Read Only Memory）等のメモリーを備えて構成される。ＲＡＭは、各種データ等の一時記憶に用いられ、ＲＯＭは、プロジェクター１の動作を制御するための制御プログラムや制御データ等を記憶する。また、記憶部１１は、投写部１４から投写するための画像信号を記憶していてもよい。
【００２０】
入力操作部１８は、ユーザーがプロジェクター１に対して各種指示を行うための複数の操作キーを備えている。入力操作部１８が備える操作キーとしては、電源のオンとオフとを切り替えるための電源キー、各種設定を行うためのメニュー画像を表示させるメニューキー、画像信号が入力されるインターフェイスを変更するための入力切替キー、マルチ画面表示を指示するための表示切替キー等がある。ユーザーが入力操作部１８の各種操作キーを操作すると、入力操作部１８は、その操作を受け付けて、操作内容に応じた操作信号を制御部１０に出力する。なお、遠隔操作が可能なリモコン（図示せず）を、入力操作部１８として用いる構成としてもよい。この場合、リモコンは、ユーザーの操作内容に応じた赤外線の操作信号を発信し、図示しないリモコン信号受信部がこれを受信して制御部１０に伝達する。
【００２１】
インターフェイス部１６は、第１インターフェイス１６ａと、第２インターフェイス１６ｂと、第３インターフェイス１６ｃと、を有している。各インターフェイス１６ａ，１６ｂ，１６ｃは、コンピューターや画像再生装置等の画像供給装置１５ａ，１５ｂ，１５ｃと接続される入力端子やその周辺回路を含んでいる。第１インターフェイス１６ａには、第１画像供給装置１５ａが接続され、第１画像供給装置１５ａから第１画像信号が入力される。第２インターフェイス１６ｂには、第２画像供給装置１５ｂが接続され、第２画像供給装置１５ｂから第２画像信号が入力される。第３インターフェイス１６ｃには、第３画像供給装置１５ｃが接続され、第３画像供給装置１５ｃから第３画像信号が入力される。インターフェイス１６ａ，１６ｂ，１６ｃは、例えばＨＤＭＩ（登録商標）に準拠したインターフェイスである。
【００２２】
スイッチング回路１２は、インターフェイス部１６の各インターフェイス１６ａ，１６ｂ，１６ｃを介して画像供給装置１５ａ，１５ｂ，１５ｃに接続されている。スイッチング回路１２は、３つのインターフェイス１６ａ，１６ｂ，１６ｃの中から、制御部１０の指示に基づく１つのインターフェイスを選択し、選択したインターフェイスに入力されている画像信号を映像プロセッサー１３に出力する。
【００２３】
また、スイッチング回路１２は、検出部１７を備えている。検出部１７は、スイッチング回路１２に対する画像信号の入力を検出する。
【００２４】
映像プロセッサー１３は、入力部３１と、フレームメモリー３２と、処理部３３と、出力部３４と、を備えている。入力部３１は、スイッチング回路１２によって選択されたインターフェイス１６ａ，１６ｂ，１６ｃに入力された画像信号を受け付ける。フレームメモリー３２は、入力部３１に入力された画像信号をフレーム単位で記憶する。処理部３３は、フレームメモリー３２に記憶された画像信号に、明るさやコントラストなどの画質を調整する処理や、画像のサイズを変更する処理などの各種処理を施す。出力部３４は、処理後の画像信号を投写部１４のライトバルブ駆動部２４（図３参照）に出力する。
【００２５】
図３は、プロジェクターの一部である投写部の構成を示すブロック図である。以下、投写部の構成を、図３を参照しながら説明する。
【００２６】
図３に示すように、投写部１４は、光源２１、光変調装置としての３つの液晶ライトバルブ２２Ｒ，２２Ｇ，２２Ｂ、投写光学系２３、ライトバルブ駆動部２４等を備えて構成されている。投写部１４は、光源２１から射出された光を、液晶ライトバルブ２２Ｒ，２２Ｇ，２２Ｂで変調して画像光を形成し、レンズ及びミラーの少なくとも一方を含む投写光学系２３からこの画像光を投写してスクリーン２に画像を表示する。
【００２７】
光源２１は、超高圧水銀ランプやメタルハライドランプ等の放電型の光源ランプ、又は発光ダイオードや半導体レーザー等の固体光源を含んで構成されている。光源２１から射出された光は、図示しないインテグレーター光学系によって輝度分布が略均一な光に変換され、図示しない色分離光学系によって光の３原色である赤色、緑色、青色の各色光成分に分離された後、それぞれ液晶ライトバルブ２２Ｒ，２２Ｇ，２２Ｂに入射する。
【００２８】
液晶ライトバルブ２２Ｒ，２２Ｇ，２２Ｂは、それぞれ一対の透明基板間に液晶が封入された透過型の液晶パネル等によって構成される。各液晶パネルには、マトリクス状に配列された複数の画素からなる矩形の画像形成領域２２ｉが形成されており、液晶に対して画素毎に駆動電圧を印加可能になっている。
【００２９】
ライトバルブ駆動部２４は、液晶ライトバルブ２２Ｒ，２２Ｇ，２２Ｂの画像形成領域２２ｉに画像を形成する。具体的には、ライトバルブ駆動部２４は、映像プロセッサー１３から入力される画像信号に応じた駆動電圧を、画像形成領域２２ｉの各画素に印加し、各画素を画像信号に応じた光透過率に設定する。
【００３０】
光源２１から射出された光は、液晶ライトバルブ２２Ｒ，２２Ｇ，２２Ｂの画像形成領域２２ｉを透過することによって画素毎に変調され、画像信号に応じた画像光が色光毎に形成される。形成された各色の画像光は、図示しない色合成光学系によって画素毎に合成されてカラー画像を表す画像光となり、投写光学系２３によってスクリーン２に拡大投写される。この結果、スクリーン２には、映像プロセッサー１３から入力された画像信号に基づく画像が表示される。
【００３１】
本実施形態のプロジェクター１は、スイッチング回路１２により選択されたインターフェイスに入力される画像信号に基づいて、画像Ａ、画像Ｂ、画像Ｃのうち１つの画像を表示することができる。また、ユーザーにより、マルチ画面表示の指示がなされた場合には、プロジェクター１は、スイッチング回路１２に選択させるインターフェイスを順次切り替えることにより、１つの投写画像３内に、複数の小画像を並べて表示することもできる（図１参照）。
【００３２】
図４及び図５は、本実施形態の表示方法を示すフローチャートである。以下、表示方法を、図４及び図５を参照しながら説明する。
【００３３】
ユーザーがプロジェクター１の電源キーを操作すると、プロジェクター１は起動し、図示しない必要な初期処理を行った後で、図４に示すフローに従って動作を開始する。
【００３４】
ステップＳ１１では、制御部１０は、スイッチング回路１２にインターフェイス１６ａ，１６ｂ，１６ｃを選択させる。具体的には、プロジェクター１を起動した後、制御部１０は、画像信号が入力されているインターフェイス１６ａ，１６ｂ，１６ｃを検出部１７に検出させ、インターフェイス１６ａ，１６ｂ，１６ｃのうち、画像信号が入力されている１つのインターフェイスをスイッチング回路１２に選択させる。
【００３５】
ステップＳ１２では、制御部１０は、選択されたインターフェイス１６ａ，１６ｂ，１６ｃに入力されている画像信号の信号情報を取得する。信号情報とは、画像信号の解像度やフレームレート等、画像信号の形式を表す情報であり、プロジェクター１がこの画像信号を適切に受信して表示するのに必要な情報である。信号情報は、画像信号の種別によっては、画像信号に含まれている。制御部１０は、信号情報が画像信号に含まれている場合にはこの信号情報を抽出して取得する。一方、信号情報が画像信号に含まれていない場合には、制御部１０は、画像信号の波形を計測し、計測結果に基づいて信号情報を取得する。なお、信号情報を取得するのに、例えば、１００ｍ秒〜２秒程度である。
【００３６】
ステップＳ１３では、制御部１０は、取得した信号情報に基づいて映像プロセッサー１３の入力部３１の設定を行い、入力部３１に、画像信号を取得させる。
【００３７】
ステップＳ１４では、制御部１０は、映像プロセッサー１３の処理部３３に必要な処理を行わせ、処理後の画像信号を出力部３４から出力させることにより 、投写部１４から画像をスクリーン２に表示させる。この段階におけるスクリーン２には、１つの画像、例えば、画像Ａのみが表示されている。
【００３８】
ステップＳ１５では、制御部１０は、ユーザーによってインターフェイスの変更が指示されたか否かを判断する。インターフェイスの変更が指示されていない場合は、ステップＳ１６に処理を移行する。インターフェイスの変更が指示されている場合は、ステップＳ１１に処理を戻し、スイッチング回路１２に、ユーザーによって指示された新たなインターフェイスを選択させる。
【００３９】
ステップＳ１６では、制御部１０は、ユーザーによってマルチ画面表示が指示されたか否かを判断する。マルチ画面表示が指示されていない場合は、ステップＳ１７に処理を移行する。マルチ画面表示が指示された場合は、ステップＳ１８に処理を移行する。
【００４０】
ステップＳ１７では、制御部１０は、画像の表示を終了するか否かを判断する。具体的には、ユーザーによって画像表示の終了が指示されれば、このフローを終了する。終了の指示がされていない場合は、ステップＳ１３に処理を戻し、画像信号に応じた画像の表示を継続する。
【００４１】
以下、マルチ画面表示の処理方法を、図５を参照しながら説明する。ステップＳ１６においてユーザーがマルチ画面表示の指示を行って、ステップＳ１８に処理が移行した場合、図５に示すマルチ画面表示処理のフローに従って動作を開始する。本実施形態では、３つのインターフェイス１６ａ，１６ｂ，１６ｃに入力された画像信号に基づいて、３つの映像、即ち画像Ａ、画像Ｂ、画像Ｃを並べてスクリーン２に表示する方法を説明する。
【００４２】
ステップＳ２１では、制御部１０は、第１インターフェイス１６ａをスイッチング回路１２に選択させる。
【００４３】
ステップＳ２２では、制御部１０は、スイッチング回路１２で選択されたインターフェイスに入力されている画像信号の信号情報を取得する。
【００４４】
ステップＳ２３では、制御部１０は、取得した信号情報を記憶部１１に記憶させる。具体的には、制御部１０は、取得した信号情報を、選択されているインターフェイスに対応付けて記憶部１１に記憶させる。
【００４５】
ステップＳ２４では、制御部１０は、取得した信号情報に基づいて映像プロセッサー１３の入力部３１の設定を行い、入力部３１に、画像信号を取得させる。
【００４６】
ステップＳ２５では、制御部１０は、取得された画像信号に基づいて、投写部１４から画像をスクリーン２に投写させる。具体的には、制御部１０は、映像プロセッサー１３に画像信号を縮小させる処理を行わせるとともに、投写画像 ３内の所定の位置に画像が表示されるように、縮小させた画像信号をフレームメモリー３２上の所定の領域に記憶させる。
【００４７】
ステップＳ２６では、制御部１０は、すべてのインターフェイス１６ａ，１６ｂ，１６ｃが選択されたか否かを判断する。すべてのインターフェイスが選択された場合は、ステップＳ２８に処理を移行する。すべてのインターフェイスが選択されていない場合は、ステップＳ２７に処理を移行する。
【００４８】
ステップＳ２６においてすべてのインターフェイス１６ａ，１６ｂ，１６ｃが選択されていないと判断され、ステップＳ２７に処理を移行すると、制御部１０は、スイッチング回路１２に次のインターフェイスを選択させる。その後、ステップＳ２２に処理を戻し、ステップＳ２２からステップＳ２６の処理を繰り返す。すべてのインターフェイス１６ａ，１６ｂ，１６ｃについて、ステップＳ２２からステップＳ２６が繰り返されると、記憶部１１には、第１画像信号の信号情報である第１信号情報、第２画像信号の信号情報である第２信号情報、および第３画像信号の信号情報である第３信号情報が記憶される。また、スクリーン２には、３つの小画像が並べて表示される。具体的には、図１に示すように、左上に画像Ａが配置され、右上に画像Ｂが配置され、左下に画像Ｃが配置された投写画像３が投写される。
【００４９】
ステップＳ２６においてすべてのインターフェイスが選択されてステップＳ２８に処理を移行すると、制御部１０は、スイッチング回路１２に第１インターフェイス１６ａを選択させる。
【００５０】
ステップＳ２９では、制御部１０は、スイッチング回路１２で選択されているインターフェイスに対応付けられた信号情報を、記憶部１１から読み出す。
【００５１】
ステップＳ３０では、制御部１０は、読み出した信号情報に基づいて映像プロセッサー１３の入力部３１の設定を行い、入力部３１に画像信号を取得させる。
【００５２】
ステップＳ３１では、制御部１０は、映像プロセッサー１３に指示をして、取得された画像信号に基づく画像を投写画像３内の所定の位置に表示させる。即ち、制御部１０は、投写画像３内に配置されている画像の１つを、新たに取得された画像信号に基づいて更新させる。
【００５３】
ステップＳ３２では、制御部１０は、ユーザーによりマルチ画面表示を終了する指示がなされたか否かを判断する。終了する指示がなされた場合は、マルチ画面表示処理のフローを終了し、図４に示すフローのステップＳ１７に処理を戻す。マルチ画面表示を終了する指示がなされていない場合は、ステップＳ３３に処理を移行する。
【００５４】
ステップＳ３３では、制御部１０は、スイッチング回路１２に次のインターフェイスを選択させる。具体的には、第１インターフェイス１６ａが選択されていた場合には、新たに第２インターフェイス１６ｂを選択させ、第２インターフェイス１６ｂが選択されていた場合には、新たに第３インターフェイス１６ｃを選択させ、第３インターフェイス１６ｃが選択されていた場合には、新たに第１インターフェイス１６ａを選択させる。その後、制御部１０は、ステップＳ２９に処理を戻し、ステップＳ２９からステップＳ３２までの処理を繰り返す。
【００５５】
これにより、ユーザーによってマルチ画面表示の終了が指示されなければ、画像Ａ、画像Ｂ、画像Ｃが順次書き換えられ、動作を繰り返すことにより、それぞれの動画をスクリーン２に同時に表示することができる。
【００５６】
このように、画像Ａ、画像Ｂ、及び画像Ｃを含むマルチ画面をスクリーン２に表示する際、第１信号情報、第２信号情報、及び第３信号情報を記憶部１１に記憶させておき、インターフェイスを順次切り替える度に、記憶部１１から対応する信号情報を読み出すことにより、プロジェクター１は、画像信号を適切に取得し、順次画像Ａ，画像Ｂ，画像Ｃを更新することができる。即ち、信号情報を再取得する 必要がなくなるため、画像Ａ，画像Ｂ，画像Ｃの更新に要する時間を短縮することができる。
【００５７】
以上説明したように、第１実施形態の表示方法、及び表示装置によれば、以下の効果を得ることができる。
【００５８】
（１）第１実施形態によれば、第１インターフェイス１６ａ、第２インターフェイス１６ｂ、第３インターフェイス１６ｃを順次選択してマルチ画面表示を行う場合に、取得した第１信号情報、第２信号情報、第３信号情報を記憶部１１に記憶した後は、インターフェイス１６ａ，１６ｂ，１６ｃを選択する度に信号情報の取得を行わず、記憶部１１に記憶された第１信号情報、第２信号情報、第３信号情報を用いるようにしている。このため、信号情報の取得に要する時間を削減することが可能となり、３つの画像Ａ、画像Ｂ、画像Ｃの切り替え速度を速くすることができる。その結果、画像Ａ、画像Ｂ、画像Ｃを滑らかに表示することができる。言い換えれば、３つの動画を滑らかに表示することができる。
【００５９】
（２）第１実施形態によれば、１つの入力部３１を備える映像プロセッサー１３を適用した場合でも、スイッチング回路１２を設けることにより、３つのインターフェイス１６ａ，１６ｂ，１６ｃからの入力が可能となる。即ち、画像Ａ、画像Ｂ、及び画像Ｃを並べてスクリーン２に表示させることができる。
【００６０】
（第２実施形態）
図６は、第２実施形態のプロジェクターの構成を示すブロック図である。以下、第２実施形態のプロジェクターの構成を、図６を参照しながら説明する。
【００６１】
第１実施形態のプロジェクター１は、映像プロセッサー１３に１つの入力部３１を備えているが、第２実施形態のプロジェクター１０１は、映像プロセッサー１１３に２つの入力部１３１ａ，１３１ｂを備え、一方の入力部１３１ｂにスイッチング回路１１２が接続されている。その他の構成については概ね第１実施形態と同様であるため、第２実施形態では、第１実施形態と異なる部分について詳細に説明し、その他の重複する部分については適宜説明を省略する。
【００６２】
図６に示すように、第２実施形態のプロジェクター１０１は、制御部１０と、記憶部１１と、スイッチング回路１１２と、映像プロセッサー１１３と、投写部１４と、インターフェイス部１６と、入力操作部１８と、を備えて構成されている。制御部１０と、記憶部１１と、投写部１４と、インターフェイス部１６と、入力操作部１８とは、第１実施形態と同様の構成になっている。
【００６３】
映像プロセッサー１１３は、第１入力部１３１ａと、第２入力部１３１ｂと、第３入力部１３１ｃとを備えている。第１入力部１３１ａは、第１インターフェイス１６ａに接続されており、第１画像供給装置１５ａから第１インターフェイス１６ａを介して第１画像信号を受け付ける。第２入力部１３１ｂは、スイッチング回路１１２に接続されている。スイッチング回路１１２には、第２インターフェイス１６ｂ及び第３インターフェイス１６ｃに接続されており、第２画像供給装置１５ｂから第２インターフェイス１６ｂを介して第２画像信号を受け付けるとともに、第３画像供給装置１５ｃから第３インターフェイス１６ｃを介して第３画像信号を受け付ける。スイッチング回路１１２は、制御部１０の制御に基づいて、第２インターフェイス１６ｂ及び第３インターフェイス１６ｃのいずれか一方を選択し、選択されたインターフェイスに入力されている画像信号を第２入力部１３１ｂに出力する。
【００６４】
第１入力部１３１ａ及び第２入力部１３１ｂは、入力された画像信号を第３入力部１３１ｃに出力する。第３入力部１３１ｃは、制御部１０の制御に基づいて、第１入力部１３１ａ及び第２入力部１３１ｂのいずれか一方を選択する。第３入力部１３１ｃは、選択された入力部に入力されている画像信号をフレームメモリー３２に記憶させる。フレームメモリー３２、処理部３３、出力部３４については、第１実施形態と同様の構成である。
【００６５】
本実施形態において、制御部１０が第３入力部１３１ｃに第１入力部１３１ａを選択させると、投写部１４から第１画像信号に基づく画像Ａがスクリーン２に投写される。また、制御部１０が、第３入力部１３１ｃに第２入力部１３１ｂを選択させるとともに、スイッチング回路１１２に第２インターフェイス１６ｂを選択させると、投写部１４から第２画像信号に基づく画像Ｂがスクリーン２に投写される。同様に、制御部１０が、第３入力部１３１ｃに第２入力部１３１ｂを選択させるとともに、スイッチング回路１１２に第３インターフェイス１６ｃを選択させると、投写部１４から第３画像情報に基づく画像Ｃがスクリーン２に投写される。
【００６６】
本実施形態において、マルチ画面表示を行う場合には、プロジェクター１０１は、図５に示したフローチャートと同様の動作を行う。ただし、ステップＳ２１，Ｓ２８で第１インターフェイス１６ａを選択させる場合には、制御部１０は、映像プロセッサー１１３の第３入力部１３１ｃに第１入力部１３１ａを選択させる。また、ステップＳ２７，Ｓ３３で、第２インターフェイス１６ｂ又は第３インターフェイス１６ｃを選択させる場合には、制御部１０は、映像プロセッサー１１３の第３入力部１３１ｃに第２入力部１３１ｂを選択させるとともに、スイッチング回路１１２に第２インターフェイス１６ｂ又は第３インターフェイス１６ｃを選択させる。
【００６７】
第２実施形態のプロジェクター１０１によれば、２つの入力部１３１ａ，１３１ｂを備える映像プロセッサー１１３を適用した場合でも、一方の入力部１３１ｂにスイッチング回路１１２を設けることにより、３つのインターフェイス１６ａ，１６ｂ，１６ｃからの入力が可能となる。即ち、画像Ａ、画像Ｂ、及び画像Ｃを並べてスクリーン２に表示させることができる。
【００６８】
また、第１入力部１３１ａと第２入力部１３１ｂの２つの入力部によって処理されるので、例えば、第１入力部１３１ａに入力される第１画像信号は、第２画像信号及び第３画像信号と比較して書き換え速度が速い。よって、画像Ａを、画像Ｂ及び画像Ｃと比較して、滑らかに表示させることができる。
【００６９】
なお、第１入力部１３１ａは、第２入力部１３１ｂや、第１実施形態の入力部３１とは異なり、１つの画像信号、即ち第１画像信号のみが入力されることから、第１信号情報に基づく設定が一度なされれば、それ以降、第１画像信号の形式が変わるまでは設定を変更する必要がない。このため、第１インターフェイス１６ａが選択されている場合には、信号情報を記憶部１１に記憶するステップＳ２３や、記憶部１１から信号情報を読み出すステップＳ２９を省略することが可能であり、画像Ａをより滑らかに表示させることが可能となる。
【００７０】
以上説明したように、第２実施形態の表示方法、及び表示装置によれば、以下の効果を得ることができる。
【００７１】
（３）第２実施形態によれば、２つの入力部１３１ａ，１３１ｂを備える映像プロセッサー１１３を適用した場合でも、一方の入力部１３１ｂにスイッチング回路１１２を設けることにより、３つのインターフェイス１６ａ，１６ｂ，１６ｃからの入力が可能となる。即ち、画像Ａ、画像Ｂ、及び画像Ｃを並べてスクリーン２に表示させることができる。
【００７２】
なお、上記第１及び第２実施形態において、ステップＳ２２，Ｓ２９にて信号情報を取得する際の制御部１０が取得部に相当する。
【００７３】
（変形例）
また、上記実施形態は、以下のように変更してもよい。
【００７４】
上記した実施形態では、最初に信号情報を記憶部１１に記憶した後は信号情報の取得を行っていないが、所定のタイミングで信号情報を再取得するようにしてもよい。例えば、画像信号の形式の変化が検出された場合や、マルチ画像表示から単一画像表示に戻した場合などが考えられる。この場合においても、インターフェイスが切り替わるごとに信号情報を取得する場合と比較して、画像Ａ、画像Ｂ、画像Ｃの書き換え速度を速くすることができる。
【００７５】
上記した実施形態では、インターフェイス部１６に備わるインターフェイス１６ａ，１６ｂ，１６ｃの種別は、ＨＤＭＩに限定されず、アナログインターフェイス等、他のインターフェイスであってもよいし、異なる種別のインターフェイスが混在していてもよい。
【００７６】
上記した実施形態では、３つのインターフェイスを備えた例を示したが、２つ以上であれば、３つに限定されない。また、第２実施形態において、第１入力部１３１ａおよび第２入力部１３１ｂの双方にスイッチング回路１１２を接続して、合計で４つ以上のインターフェイスから画像信号が入力されるようにしてもよい。
【００７７】
以下に、実施形態から導き出される内容を記載する。
【００７８】
表示方法は、複数の画像信号を順次選択してマルチ画面表示を行う表示方法であって、第１画像信号が入力される第１インターフェイスを選択し、前記第１画像信号の形式を表す第１信号情報を取得し、前記第１信号情報を記憶し、前記第１信号情報に基づいて、前記第１画像信号を取得し、取得した前記第１画像信号に基づく第１画像を表示し、第２画像信号が入力される第２インターフェイスを選択し、前記第２画像信号の形式を表す第２信号情報を取得し、前記第２信号情報を記憶し、前記第２信号情報に基づいて、前記第２画像信号を取得し、取得した前記第２画像信号に基づく第２画像を前記第１画像に並べて表示し、前記第１インターフェイスを選択し、記憶した前記第１信号情報に基づいて、前記第１画像信号を取得し、取得した前記第１画像信号に基づいて、前記第１画像を更新し、前記第２インターフェイスを選択し、記憶した前記第２信号情報に基づいて、前記第２画像信号を取得し、取得した前記第２画像信号に基づいて、前記第２画像を更新する、ことを特徴とする。
【００７９】
この方法によれば、複数の画像信号を順次選択してマルチ画面表示を行う場合に、取得した信号情報を記憶した後は、インターフェイスの選択の度に信号情報の取得を行わず、記憶された信号情報を用いるようにしているため、信号情報の取得に要する時間を削減することが可能となり、複数の画像を滑らかに表示することが可能となる。
【００８０】
上記の表示方法において、前記第１信号情報、及び前記第２信号情報は、解像度及びフレームレートを含む情報であることが望ましい。
【００８１】
この方法によれば、解像度及びフレームレートの情報を取得することにより、信号情報に基づいて画像信号を取得することができる。
【００８２】
上記の表示方法において、前記第２画像を前記第１画像に並べて表示した後、第３画像信号が入力される第３インターフェイスを選択し、前記第３画像信号の形式を表す第３信号情報を取得し、前記第３信号情報に基づいて、前記第３画像信号を取得し、取得した前記第３画像信号に基づく第３画像を、前記第１画像及び前記第２画像に並べて表示し、前記第２画像を更新した後、前記第３インターフェイスを選択し、記憶した前記第３信号情報に基づいて、前記第３画像信号を取得し、取得した前記第３画像信号に基づいて、前記第３画像を更新する、ことが望ましい。
【００８３】
この方法によれば、３つの画像を同時に表示させることができると共に、３つの画像を滑らかに表示することができる。
【００８４】
上記の表示方法において、前記第１信号情報、前記第２信号情報、及び前記第３信号情報は、解像度及びフレームレートを含む情報であることが望ましい。
【００８５】
この方法によれば、解像度及びフレームレートの情報を取得することにより、信号情報に基づいて画像信号を取得することができる。
【００８６】
表示装置は、複数の画像信号を順次選択してマルチ画面表示を行う表示装置であって、第１画像信号が入力される第１インターフェイスと、第２画像信号が入力される第２インターフェイスと、前記第１インターフェイス及び前記第２インターフェイスのうち、いずれか一方のインターフェイスを選択する選択部と、前記第１画像信号及び前記第２画像信号のうち、前記選択部により選択された前記一方のインターフェイスに入力される一方の画像信号について、形式を表す信号情報を取得する取得部と、前記取得部により取得された前記信号情報を記憶する記憶部と、前記選択部により選択された前記一方のインターフェイスに入力される一方の画像信号を、前記信号情報に基づいて取得する入力部と、前記入力部によって取得された前記一方の画像信号に基づく画像を表示する表示部と、前記選択部に前記第１インターフェイスと前記第２インターフェイスとを交互に繰り返して選択させて、前記表示部に前記第１画像信号に基づく第１画像と、前記第２画像信号に基づく第２画像とを並べて表示させる制御部と、を備え、前記制御部は、前記第１画像と前記第２画像とを並べて表示する場合に、前記第１画像信号の前記信号情報及び前記第２画像信号の前記信号情報が前記記憶部に記憶された後、前記取得部に前記信号情報の取得を行わせず、前記記憶部に記憶されている前記信号情報に基づいて前記入力部に前記第１画像信号及び前記第２画像信号を取得させることを特徴とする。
【００８７】
この構成によれば、複数のインターフェイスを順次選択して、複数の画像を表示するマルチ画面表示を行う場合に、取得した信号情報を記憶部に記憶した後は、インターフェイスの選択の度に信号情報の取得を行わず、記憶部に記憶された信号情報を用いるようにしているため、信号情報の取得に要する時間を削減することが可能となり、複数の画像を滑らかに表示することが可能となる。
【００８８】
上記の表示装置において、前記信号情報は、解像度及びフレームレートを含む情報であることが望ましい。
【００８９】
この構成によれば、解像度及びフレームレートの情報を取得することにより、信号情報に基づいて画像信号を取得することができる。
【符号の説明】
【００９０】
１，１０１…プロジェクター、２…スクリーン、３…投写画像、１０…制御部、１１…記憶部、１２，１１２…選択部としてのスイッチング回路、１３，１１３…映像プロセッサー、１４…表示部としての投写部、１５ａ…第１画像供給装置、１５ｂ…第２画像供給装置、１５ｃ…第３画像供給装置、１６…インターフェイス部、１６ａ…第１インターフェイス、１６ｂ…第２インターフェイス、１６ｃ…第３インターフェイス、１７…検出部、１８…入力操作部、２１…光源、２２Ｒ，２２Ｇ，２２Ｂ…液晶ライトバルブ、２２ｉ…画像形成領域、２３…投写光学系、２４…ライトバルブ駆動部、３１…入力部、３２…フレームメモリー、３３…処理部、３４…出力部、１００…表示システム、１３１ａ…第１入力部、１３１ｂ…第２入力部、１３１ｃ…第３入力部。
【図１】
2020118744.tif 000003
【図２】
2020118744.tif 000004
【図３】
2020118744.tif 000005
【図４】
2020118744.tif 000006
【図５】
2020118744.tif 000007
【図６】
2020118744.tif 000008